(57)【要約】【課題】飛翔害虫の死骸により誘引剤を担持する薬剤担持部材を汚染させることがなく、長期間使用することが可能な害虫誘引防除装置を提供する。【解決手段】飛翔害虫誘引防除装置１は、筐体２内に、薬剤担持部材３と、仕切り部材５及び死骸溜容器２０が内蔵されたものである。筐体２の内部は、担持部材収容空間２２と飛翔空間２３に仕切られている。薬剤担持部材３は、仕切り部材５で支持され、仕切り部材５の開口６に薬剤担持部材３の突出部２５が嵌み、突出部２５が、仕切り部材５の開口６から、飛翔空間２３に突出している。コバエは、誘引成分に引かれて飛翔害虫導入開口１７から筐体２の飛翔空間２３に入る。そして突出部２５に止まって殺虫剤を摂食する。その結果コバエは、即座に力を失って落下する。落下したコバエは、仕切り部材５の真下に設けられた死骸溜容器２０に落ちる。【選択図】図３
2015186462.tif 000002
【特許請求の範囲】
【請求項１】
筐体と、薬剤担持部材とを有し、前記薬剤担持部材には誘引剤と殺虫剤とが担持され、前記筐体には天井面を有する飛翔害虫の飛翔空間と、飛翔害虫が前記飛翔空間に侵入可能な飛翔害虫導入開口が有り、
前記薬剤担持部材はその一部が前記飛翔空間の天井面側にあってその一部が前記飛翔空間に露出し、
前記薬剤担持部材の真下の位置に飛翔害虫の死骸を溜める死骸溜部が設けられていることを特徴とする飛翔害虫誘引駆除装置。
【請求項２】
殺虫剤は、飛翔害虫が食することによって飛翔害虫を致死又は麻痺させる効果を有するものであり、前記殺虫剤は前記誘引剤と混合された状態で薬剤担持部材に担持されていることを特徴とする請求項１に記載の飛翔害虫誘引駆除装置。
【請求項３】
筐体内には飛翔空間の天井面を形成する仕切り部材が設けられていて内部が上下に仕切られ、仕切り部材の上部と筐体の外郭との間には密閉可能な収容空間があり、仕切り部材には露出用開口が設けられ、前記収容空間に薬剤担持部材が設置され、仕切り部材の露出用開口から薬剤担持部材の一部が前記飛翔空間に露出し、筐体には収容空間と外部とを連通し且つ閉止可能な開口が設けられ、当該開口を通じて薬剤担持部に誘引剤及び殺虫剤を追加可能であることを特徴とする請求項２に記載の飛翔害虫誘引駆除装置。
【請求項４】
死骸溜部が筐体から分離可能であることを特徴とする請求項１乃至３のいずれかに記載の飛翔害虫誘引駆除装置。
【発明の詳細な説明】
【技術分野】
【０００１】
本発明は、家屋内に設置して蚊、コバエ等の飛翔性の小型（体長０．５〜５ｍｍ程度）昆虫や不快害虫（以下、両者を合わせて飛翔害虫と記す）を駆除する飛翔害虫誘引防除装置に関するものである。
【背景技術】
【０００２】
コバエ等の飛翔害虫を駆除する目的で、飛翔害虫を揮散性誘引剤により装置の内部に誘引し、殺虫剤の効果により誘引した飛翔害虫を駆除する装置が知られている（例えば、特許文献１〜３）。
【０００３】
特許文献１には、開口部を有する容器内に、害虫誘引剤を含有した多数のゲル粒が層状に収容された害虫捕獲器が開示されている。当該ゲル粒には誘引性に影響を与えない範囲で各種殺虫成分を添加してもよいことが記載されている。当該ゲル粒に含有された害虫誘引剤により、ハエやコバエ等が開口部より侵入し、当該ゲル粒の層内部に潜り込み、その際に粘着性を有するゲル粒により身動きがとれなくなったり、ゲル粒に含有している殺虫成分により死に至る。
特許文献２には、飛翔害虫が誘引される誘引部と、誘引部を支持するベース部と、飛翔害虫の誘引成分が保持された薬液保持部を収容するトレイ部と、内部に行くほど幅狭になる開口部を備えた飛翔害虫捕獲装置が開示されている。
特許文献３には、筐体内に誘引物質と殺虫剤を配置し、当該誘引物質によって誘引した飛翔害虫を殺虫剤に接触させるか、あるいは飛翔害虫に殺虫剤を摂取させる飛翔害虫誘引防除装置が開示されている。
【先行技術文献】
【特許文献】
【０００４】
【特許文献１】特開２０１０−５７５０２号公報
【特許文献２】特開２０１２−１３９２０２号公報
【特許文献３】特開２０１２−１５３１号公報
【発明の概要】
【発明が解決しようとする課題】
【０００５】
特許文献１〜３に記載された飛翔害虫の捕獲装置では、捕獲装置内で死んだ飛翔害虫の死骸は、飛翔害虫を誘引する誘引剤が担持された誘引部に残るため、誘引部が飛翔害虫の死骸により汚染されてしまう。飛翔害虫の誘引剤としては、一般的に酒、ビール、ワイン、食酢、果実エキス等の食品類を使用されることが多いが、これらの食品類が飛翔害虫の死骸により汚染されることで変性してしまうことがあり、捕獲装置を長期間使用できなくなる場合がある。
【０００６】
そこで本発明は、飛翔害虫の死骸により誘引剤を担持する薬剤担持部材を汚染させることがなく、長期間使用が可能な害虫誘引防除装置を提供することを目的とする。
【課題を解決するための手段】
【０００７】
上記した課題を解決するための請求項１に記載の発明は、筐体と、薬剤担持部材とを有し、前記薬剤担持部材には誘引剤と殺虫剤とが担持され、前記筐体には天井面を有する飛翔害虫の飛翔空間と、飛翔害虫が前記飛翔空間に侵入可能な飛翔害虫導入開口が有り、前記薬剤担持部材はその一部が前記飛翔空間の天井面側にあってその一部が前記飛翔空間に露出し、前記薬剤担持部材の真下の位置に飛翔害虫の死骸を溜める死骸溜部が設けられていることを特徴とする飛翔害虫誘引駆除装置である。
【０００８】
本発明の飛翔害虫誘引駆除装置では、筐体内に飛翔空間があり、薬剤担持部材の一部が飛翔空間に露出している。また筐体には対象害虫が前記飛翔空間に侵入可能な飛翔害虫導入開口が設けられている。そして薬剤担持部材には、誘引剤が担持されているから、誘引剤から放散された誘引成分が、前記開口から外部に拡散し、対象害虫を誘引する。対象害虫は、前記した飛翔害虫導入開口から飛翔空間に入り、薬剤担持部材に取りついて、殺虫剤の効果により致死または麻痺する。
ここで本発明の飛翔害虫誘引駆除装置では、薬剤担持部材は前記筐体の天井面側から飛翔空間に露出するものであるから、致死又は麻痺した対象害虫は、薬剤担持部に留まることなく、真下の位置にある死骸溜部に落下する。
また本発明の害虫誘引防除装置では、対象害虫は、薬剤担持部に留まることなく落下するので、薬剤担持部材が対象害虫の死骸により汚染されにくい。
【０００９】
請求項２に記載の発明は、殺虫剤は、対象害虫が食することによって対象害虫を致死又は麻痺させる効果を有するものであり、前記殺虫剤は前記誘引剤と混合された状態で薬剤担持部材に担持されていることを特徴とする請求項１に記載の飛翔害虫誘引駆除装置である。
【００１０】
本発明の飛翔害虫誘引駆除装置では、殺虫剤は、対象害虫が食することによって対象害虫を致死又は麻痺させる効果を有するものであり、当該殺虫剤は前記誘引剤と混合された状態で薬剤担持部材に担持されている。そのため対象害虫は、本能的に殺虫剤を食べ、薬効によって致死又は麻痺する。
また薬剤担持部材は通常、対象害虫が食さないものであり且つ常温で変形しない素材で作られたものであり、飛翔害虫誘引駆除装置を設置後、時間が経過しても外形の変化が少ない。そのため長期間に渡って使用しても、誘引剤の保持能力が劣化することがないので、誘引剤が全て揮散した後も、誘引剤を補充することにより、更なる長期間の使用が可能である。
【００１１】
請求項３に記載の発明は、筐体内には飛翔空間の天井面を形成する仕切り部材が設けられていて内部が上下に仕切られ、仕切り部材の上部と筐体の外郭との間には密閉可能な収容空間があり、仕切り部材には露出用開口が設けられ、前記収容空間に薬剤担持部材が設置され、仕切り部材の露出用開口から薬剤担持部材の一部が前記飛翔空間に露出し、筐体には収容空間と外部とを連通し且つ閉止可能な開口が設けられ、当該開口を通じて薬剤担持部に誘引剤及び殺虫剤を追加可能であることを特徴とする請求項２に記載の飛翔害虫誘引駆除装置である。
【００１２】
本発明の害虫誘引防除装置では、誘引剤と殺虫剤を補充することができる。そのため害虫誘引防除装置を長期間に渡って使用することができる。
【００１３】
請求項４に記載の発明は、死骸溜部が筐体より分離可能であることを特徴とする請求項１乃至３のいずれかに記載の飛翔害虫誘引駆除装置である。
【００１４】
本発明によると、飛翔害虫の死骸を容易に処理することができる。
【発明の効果】
【００１５】
本発明の害虫誘引防除装置は、誘引剤と殺虫剤とを担持する薬剤担持部と、飛翔害虫の死骸を溜める死骸溜部とが個別に設置されているため、薬剤担持部が飛翔害虫の死骸により汚染されることがなく、誘引剤の変性を抑制することができる。
【図面の簡単な説明】
【００１６】
【図１】本発明の実施形態の飛翔害虫誘引防除装置の斜視図である。
【図２】図１に示す飛翔害虫誘引防除装置の内部構造を示す斜視図である。
【図３】図１に示す飛翔害虫誘引防除装置の内部構造を示す断面図である。
【図４】図１に示す飛翔害虫誘引防除装置の仕切り部材と薬剤担持部材とを分離した状態における分解斜視図である。
【図５】本発明の他の実施形態の飛翔害虫誘引防除装置の内部構造を示す分解斜視図である。
【図６】図５に示す飛翔害虫誘引防除装置の内部構造を示す断面図である。
【図７】本発明のさらに他の実施形態の飛翔害虫誘引防除装置の内部構造を示す分解斜視図である。
【図８】図７に示す飛翔害虫誘引防除装置の内部構造を示す断面図である。
【図９】本発明のさらに他の実施形態の飛翔害虫誘引防除装置の内部構造を示す断面図である。
【図１０】本発明のさらに他の実施形態の飛翔害虫誘引防除装置の斜視図である。
【図１１】本発明のさらに他の実施形態の飛翔害虫誘引防除装置の斜視図である。
【図１２】本発明のさらに他の実施形態の飛翔害虫誘引防除装置の正面図である。
【図１３】図１２に示す飛翔害虫誘引防除装置の内部構造を示す断面図である。
【発明を実施するための形態】
【００１７】
以下さらに本発明の実施形態について説明する。
図１に示す飛翔害虫誘引防除装置１は、外形形状が、四角柱状の筐体２を有している。そして図２に示す様に、筐体２内に、薬剤担持部材３と、仕切り部材５及び死骸溜容器（死骸溜部）２０が内蔵されている。
筐体２は、樹脂や紙等で作られたものであり、正面壁１０、背面壁１１、左側面壁１２、右側面壁１３、天面壁１５及び底面壁１６を有している。
筐体２の正面壁１０の中程には、飛翔害虫導入開口１７が設けられている。本実施形態で採用する飛翔害虫導入開口１７は、横長の長方形である。
また正面壁１０の下部には、死骸溜容器２０を挿入する容器挿入開口２１が設けられている。
【００１８】
筐体２の天面壁１５には、開口１８が設けられている。開口１８には、常時、蓋７が取り付けられている。
【００１９】
筐体２の内部には、図２の様に仕切り部材５があり、当該仕切り部材５によって、筐体２の内部は、二つの空間に仕切られている。
筐体２の上部空間は、薬剤担持部材３が設置される空間であり担持部材収容空間（収容空間）２２として機能する。また担持部材収容空間２２の下は、飛翔害虫が飛ぶ飛翔空間２３となっており、飛翔空間２３の最低部に死骸溜容器２０が設置されている。
担持部材収容空間２２は、筐体２の正面壁１０、背面壁１１、左側面壁１２、右側面壁１３、天面壁１５によって５面が覆われており、仕切り部材５が取り付けられた下面だけが開放されている。
従って担持部材収容空間２２は、上部側が実質的に密閉された空間であり、下部側だけが開放されている。
【００２０】
次に仕切り部材５について説明する。仕切り部材５は、ある程度の剛性を有する板体であり、中央に大きな開口（露出用開口）６が設けられている。仕切り部材５は、実質的に密な板であって、前記開口６を除いて孔はなく、対象飛翔害虫は、仕切り部材５を通過することができない。
【００２１】
本実施形態では、仕切り部材５は、水平姿勢に取り付けられている。仕切り部材５の位置は、飛翔害虫導入開口１７よりも上である。
【００２２】
次に薬剤担持部材３について説明する。薬剤担持部材３は、吸液性を有する素材で作られた、例えばブロック形状の部材であり、液状の薬剤等を含漬させることができるものである。吸液性を有する素材としては、不織布、和紙、コットンリンター等の素材が挙げられる。本実施形態で採用する薬剤担持部材３は、下面に突出部２５が設けられている。
薬剤担持部材３は、常温では所定の形態を維持しており、多少の環境温度変化では変形しない。
また後記する殺虫剤や誘引剤を含浸させても体積変化は小さい。逆に誘引剤が放散しても体積の収縮量は小さい。
【００２３】
薬剤担持部材３は担持部材収容空間２２の中にあって、仕切り部材５で支持され、仕切り部材５の開口６に薬剤担持部材３の突出部２５が嵌まり込んでいる。
そのため、薬剤担持部材３の一部たる突出部２５が、仕切り部材５の開口６から、飛翔空間２３に突出している。
【００２４】
従って、薬剤担持部材３の一部たる突出部２５が、実質的に飛翔空間２３の天井面８の一部を構成している。
【００２５】
死骸溜容器２０は、上面が開口し、他の５面が覆われた箱である。死骸溜容器２０は、引き出しの様な形状・構造であり、筐体２の容器挿入開口２１から筐体２の飛翔空間２３に挿入されている。
また死骸溜容器２０は前記した様に引き出しと同様の構造をしており、把手３０を持って引くことにより、筐体２から引き出して取り外すことができる。死骸溜容器２０を、担持部材収容空間２２及び仕切り部材５が設けられた筐体２から分離することができる。
【００２６】
本実施形態の飛翔害虫誘引防除装置１の構造を概観すると、筐体２の内部に薬剤担持部材３と仕切り部材５があり、その真下の位置に死骸溜容器２０が配置されている。
また仕切り部材５が取り付けられた位置は、飛翔害虫導入開口１７よりも上方である。薬剤担持部材３は、突出部２５を除いて密閉された担持部材収容空間２２内に置かれている。
薬剤担持部材３には、飛翔害虫（例えば、コバエ）を誘引させる誘引剤と、殺虫剤とが含漬されている。誘引剤は、飛翔害虫が好む誘引成分を放散させるものである。誘引剤の具体的内容については後記する。
また殺虫剤は、好ましくは食毒性殺虫成分からなる組成物であり、対象害虫が殺虫成分を食することにより、致死または麻痺状態となるものである。殺虫剤は対象害虫が食することが容易となるように、殺虫成分が溶媒に希釈又は懸濁されていてもよい。
誘引剤と殺虫剤は、本発明においては混合された状態で、薬剤担持部材に担持されていることが好ましい。誘引剤と殺虫剤との混合液（又は混合ゲル）は、薬剤担持部材３に含浸又は担持されている。
前記した様に、薬剤担持部材３の一部たる突出部２５が、仕切り部材５の開口６から、飛翔空間２３に突出しているから、殺虫剤を飛翔害虫が食すると、飛翔害虫は、致死又は麻痺状態となる。
殺虫剤の具体的内容については後記する。
【００２７】
本実施形態の飛翔害虫誘引防除装置１では、殺虫剤等が含漬された薬剤担持部材３は、筐体２の中にあって外には露出しない。
また飛翔害虫誘引防除装置１を使用する際においては、筐体２の開口は、飛翔害虫導入開口１７のみである。そして仕切り部材５は飛翔害虫導入開口１７よりも上方にある。
そのため通常の状態では、手指が薬剤担持部材３に触れることはない。
【００２８】
次に本実施形態の飛翔害虫誘引防除装置１の機能について説明する。本実施形態の飛翔害虫誘引防除装置１は、飛翔害虫が集まる室内又は室外に設置する。具体的には、生ゴミを入れるごみ箱、食品庫、植木鉢、動物ケージの周囲等に飛翔害虫誘引防除装置１を置くことが望ましい。
飛翔害虫誘引防除装置１では、担持部材収容空間２２内の薬剤担持部材３に飛翔害虫を誘引させる誘引剤が含漬されている。誘引剤は、飛翔害虫が好む誘引成分を放散させるものである。薬剤担持部材３は、仕切り部材５に設けられた開口６から突出しているので、誘引成分は、筐体２の飛翔空間２３に拡散して飛翔空間２３内に充満する。
そしてさらに誘引成分は、飛翔空間２３に設けられた飛翔害虫導入開口１７から筐体２の外に拡散する。
【００２９】
飛翔害虫が、突出部２５に止まって殺虫剤を摂食して、落下する。
【００３０】
落下した飛翔害虫は、仕切り部材５の真下に設けられた死骸溜容器２０に収容される。
本実施形態においては、死骸溜容器２０が筐体２内にあり、飛翔害虫誘引防除装置１を使用する際においては、筐体２の開口は、飛翔害虫導入開口１７のみである。そのため、筐体が不透明である場合には、死骸溜容器２０に飛翔害虫の死骸が溜まっても、外からは見えにくく、使用者に不潔感を感じさせない。
本実施形態で採用する仕切り部材５は、飛翔害虫が通過することができない。そのため飛翔害虫が担持部材収容空間２２に入ることはない。
また薬剤担持部材３の飛翔空間２３側に突出する部分（突出部２５）は、その下面２６と側面２７だけであり、上面に相当する部位は露出していない。従って、薬剤担持部材３の飛翔空間２３側に突出する部分（突出部２５）は、飛翔空間２３の天井面８側から垂下された状態であり、力を失った飛翔害虫が落下する際に引っ掛かる部分は無い。そのため力を失った飛翔害虫は、どこにも止まることなく落下し、死骸溜容器２０に入る。
本実施形態では、飛翔害虫の死骸が薬剤担持部材３に溜まることがないので、誘引剤が飛翔害虫の死骸にて汚染されることがなく、誘引剤は変質しにくく、飛翔害虫誘引防除装置１を長期間使用することができる。
【００３１】
死骸が溜まったら、死骸溜容器２０を引き出し、死骸溜容器２０を筐体２から取り外し、死骸溜容器２０を裏返してコバエの死骸を廃棄する。
これら一連の作業においては、作業者の手指が仕切り部材５や、薬剤担持部材３に触れることがない。そのため使用者が不潔感を感じることはない。
【００３２】
また薬剤担持部材３に含漬された誘引剤及び／又は殺虫剤が使用し尽くされ、飛翔害虫の駆除効果が衰えてきたら、筐体２の天面壁１５に取り付けられた蓋７を外し、開口１８から誘引剤及び又は殺虫剤を補充することができる。その結果、本飛翔害虫誘引防除装置を長期間使用することが可能となる。
【００３３】
以上説明した飛翔害虫誘引防除装置１では、筐体２の内部に仕切り部材５を設け、仕切り部材５で、ブロック状の薬剤担持部材３を保持すると共に、仕切り部材５に設けられた開口６から、薬剤担持部材３を露出させた。
この構成によると、飛翔空間２３の天面が、実質的に仕切り部材５と薬剤担持部材３の突出部２５とで構成される。
この構成は、薬剤担持部材３の露出部分（突出部２５）が、筐体２の中央部に限定されるから、飛翔害虫導入開口１７から遠くなり、手指等が触れにくい点で有利である。
しかしながら、本発明は、この構成に限定されるものではなく、飛翔空間２３の天面を実質的に薬剤担持部材３だけで構成するものであってもよい。
【００３４】
例えば、図５、図６に示す様に、筐体２の内面に支持部材２８を突出させ、薬剤担持部材２９を支持部材２８に載置してもよい。
本実施形態で採用する薬剤担持部材２９は、平面形状が、筐体２の平面断面形状と一致し、薬剤担持部材２９を筐体２に設置した状態においては、筐体２の内壁３７に、薬剤担持部材２９の側面が接する。
そのため筐体２の内壁３７と薬剤担持部材２９の側面との間に隙間はなく、飛翔害虫が薬剤担持部材２９の上に回り込むことはない。
【００３５】
また図７、図８に示すように薬剤担持部材３２は錐形であってもよい。薬剤担持部材３２の突出部分３３は、傾斜面であってもよい。ただし、致死または麻痺した飛翔害虫が引っ掛かることが無いように、下部側の断面積が小さくなる方向に傾斜していることが望ましい。
本実施形態では突出部分３３が傾斜面となっているから、薬剤担持部材３２は飛翔空間に対する露出面積が大きく、推奨される。
【００３６】
前記した実施形態では、薬剤担持部材３，２９，３２は、ブロック形状のものを例示したが、シート形状のものであってもよい。シート形状の部材としては、不織布、和紙、コットンリンター等の素材のシート状物が使用できる。また複数の素材のものが積層されたものや、折り重ねられたものであってもよい。
【００３７】
シート形状の薬剤担持部材３５を採用する場合には、図９の様に、筐体２の天井面４５や、内壁４６に薬剤担持部材３５を貼ってもよい。
図９の実施形態では、筐体２の天井面４５と、内壁４６に薬剤担持部材３５を装着した例を図示したが、天井面４５だけに薬剤担持部材３５を設けてもよい。
【００３８】
以上説明した実施形態では、筐体２の形状として四角柱状のものを例示したが、筐体２の形状は任意である。
例えば、図１０に示す飛翔害虫誘引防除装置５０で採用する筐体５１の様な角錐や、円筒形、あるいはキャラクターや建造物、動物を模した形状のものであってもよい。
図１０に示す飛翔害虫誘引防除装置５０は、四角錐状の筐体５１を採用しており、その中の上部に、薬剤担持部材５３が配されている。また薬剤担持部材５３の真下の位置に仕切り部材５５が設けられている。さらに仕切り部材５５の真下の位置に、死骸溜容器（死骸溜部）５６がある。
本実施形態では、筐体５１の断面積が下に行く程広くなる。特に仕切り部材５５の面積に対して死骸溜容器５６の開口が大きい。そのため落下する死骸を死骸溜容器５６で受け止め易い。
【００３９】
また上記した実施形態では、飛翔害虫導入開口１７を一個だけ設けたが、複数設けてもよい。例えば図１０に示す飛翔害虫誘引防除装置５０の様に、各面に飛翔害虫導入開口５７を設けてもよい。
【００４０】
さらに飛翔害虫導入開口をさらに広く設計してもよい。
図１１に示す飛翔害虫誘引防除装置６０は、筐体７３の飛翔害虫導入開口７８が極端に大きく、あたかも枠状の支持部材６７によって担持部材収容空間構成容器６１が支持された構造となっている。
【００４１】
図１２，図１３は、筐体２の形状を人形に模した例を示す。飛翔害虫誘引防除装置８０では、口の部分が飛翔害虫導入開口８１となっており、腹のポケットが死骸溜部８２となっている。また飛翔害虫誘引防除装置８０の本体８３の内部であって、上部に薬剤担持部材７５が配されている。また薬剤担持部材７５は、仕切り部材７６によって支持されている。
【００４２】
本発明において、防除対象となる飛翔害虫としては、例えば飛翔性の小型昆虫であり、体長は０．５〜５ｍｍ程度である。当該小型昆虫としては、例えばイエカ類や所謂コバエと称される小型のハエ類が挙げられる。具体的には、キイロショウジョウバエ等のショウジョウバエ類、クロバネキノコバエ類、キノコバエ類、オオキモンノミバエ、コアシキノミバエ、オオアカノミバエ等のノミバエ類、オオチョウバエ、ホシチョウバエ等のチョウバエ類、カバエ類、ニセケバエ類等が挙げられる。
【００４３】
次に、本実施形態で採用する殺虫剤について説明する。
殺虫剤としては、例えば、ネオニコチノイド系化合物、フェニルピラゾール系化合物、ピレスロイド系化合物、有機リン系化合物等に属する殺虫剤を用いることができる。
【００４４】
ネオニコチノイド系化合物の例としては、イミダクロプリド、クロチアニジン、チアメトキサム、アセタミプリド、チアクロプリド、ニテンピラム等が挙げられる。
フェニルピラゾール系化合物の例としては、エチプロール、アセトプロール、バニリプロール、ピリプロール、ピラフルプロール等が挙げられる。
【００４５】
ピレスロイド系化合物の例としては、アクリナトリン、アレスリン、ベータ−シフルトリン、ビフェントリン、シクロプロトリン、シフルトリン、シハロトリン、シペルメトリン、エンペントリン、デルタメトリン、エスフェンバレレート、エトフェンプロックス、フェンプロパトリン、フェンバレレート、フルシトリネート、フルフェンプロックス、フルメトリン、フルバリネート、ハルフェンプロックス、イミプロトリン、ペルメトリン、プラレトリン、ピレトリン、レスメトリン、シグマ−サイパーメトリン、シラフルオフェン、テフルトリン、トラロメトリン、トランスフルトリン、テトラメトリン、フェノトリン、シフェノトリン、アルファシペルメトリン、ゼータシペルメトリン、ラムダシハロトリン、ガンマシハロトリン、フラメトリン、タウフルバリネート、メトフルトリン、メパフルトリン、ジメフルトリン、
２,３,５,６−テトラフルオロ−４−（メトキシメチル）ベンジル＝２,２−ジメチル−３−［２−シアノ−１−プロペニル］シクロプロパンカルボキシレート）、
２,３,５,６−テトラフルオロ−４−（メトキシメチル）ベンジル＝２,２−ジメチル−３−［（１Ｚ）−３,３,３−トリフルオロ−１−プロペニル］シクロプロパンカルボキシレート）、
２,３,５,６−テトラフルオロ−４−メチルベンジル＝２,２−ジメチル−３−（１−プロペニル）シクロプロパンカルボキシレート、
２,３,５,６−テトラフルオロ−４−（メトキシメチル）ベンジル＝２,２−ジメチル−３−（２−メチル−１−プロペニル）シクロプロパンカルボキシレート、
２,３,５,６−テトラフルオロ−４−（メトキシメチル）ベンジル＝２,２,３,３−テトラメチルシクロプロパンカルボキシレート、
２,３,５,６−テトラフルオロ−４−（２−プロピニル）ベンジル＝２,２,３,３−−テトラメチルシクロプロパンカルボキシレート等が挙げられる。
【００４６】
これらのピレスロイド化合物は、一種のみで、又は、二種以上を組み合わせて使用できる。また、上記化合物の中には、光学異性体、立体異性体、又は幾何異性体等が存在するものもあるが、本発明のピレスロイド化合物には、活性な異性体及びその混合物が、含まれる。
【００４７】
有機リン系化合物の例としては、アセフェート、クロルピリホス、クロルピリホスメチル、シアノホス、ダイアジノン、ジクロフェンチオン、ジクロルボス、フェンチオン、フエニトロチオン、マラチオン、ピラクロホスなどが挙げられる。
【００４８】
次に本実施形態で使用する誘引剤について説明する。
誘引剤としては、例えば、フルーツ系香料、発酵食品系香料等の各種香料；酒類；食酢類；酢酸、プロピオン酸等の各種有機酸；乳製品、乾燥酵母、酒粕等が挙げられる。誘引剤については１種のみを用いてもよいし、２種以上を併用してもよい。
【実施例】
【００４９】
製造例１
上部に直径約２８ｍｍの取り外し可能な蓋を有する、内径約６０ｍｍ、高さ約２００ｍｍの円筒形状の透明樹脂（ポリエチレンテレフタレート）製容器を筐体として、容器内部上面から６０ｍｍ下の位置に、直径６０ｍｍの円形形状のパルプ製不織布シート（パルプ製不織布、メートル坪量６００ｇ／ｍ2、厚さ４ｍｍ、王子キノクロス株式会社製）の薬剤保持担体を設置面と平行になるように固定した。更に、該容器の側面に、縦４５ｍｍ、横７ｍｍの長方形状の開口部（開口上部が容器内部上面から９０ｍｍ下の位置）を等間隔に、３箇所設けた。
次いで、該薬剤保持担体にクロチアニジン０．１％を含有する、ワイン、醸造酢および水からなる液体１２ｇを含浸させ、本発明の害虫誘引防除装置１を作成した。
【００５０】
試験例１
１００メッシュナイロンゴースで６面を覆った一辺５０ｃｍの立方体のケージを準備し、該ケージの床面の中央に、上記の害虫誘引防除装置１を１個設置した。更に、害虫誘引防除装置１の横に５％砂糖水２０ｍＬを含浸させた脱脂綿を入れた蓋無し容器を設置した。
該ケージ内に、キイロショウジョウバエ１１０頭を放ち、４４時間後に害虫誘引防除装置１の内部に誘引されて死骸溜部にて致死した虫数を数えた。その結果、放った虫数に対して、約８５％の虫が死骸溜部にて致死していた。
【符号の説明】
【００５１】
１，５０，６０，８０  飛翔害虫誘引防除装置
２，５１，７３  筐体
３，２９，３２，３５，５３，７５  薬剤担持部材
５，５５，７６  仕切り部材
６  開口（露出用開口）
８  天井面
１７，５７，７８，８１  飛翔害虫導入開口
１８  開口
２０，５６  死骸溜容器（死骸溜部）
２２  担持部材収容空間（収容空間）
２３，７７  飛翔空間
６１  担持部材収容空間構成容器
７０，８２  死骸溜部
【図１】
2015186462.tif 000003
【図２】
2015186462.tif 000004
【図３】
2015186462.tif 000005
【図４】
2015186462.tif 000006
【図５】
2015186462.tif 000007
【図６】
2015186462.tif 000008
【図７】
2015186462.tif 000009
【図８】
2015186462.tif 000010
【図９】
2015186462.tif 000011
【図１０】
2015186462.tif 000012
【図１１】
2015186462.tif 000013
【図１２】
2015186462.tif 000014
【図１３】
2015186462.tif 000015